(57)【特許請求の範囲】
【請求項１】
凹凸をなす板状に成形された部材からなり、支持体に固定される支持体固定部を有するコネクタ支持具であって、
周囲の部分から隆起して形成された台座部と、
前記台座部の頭頂部に形成され、電線の端部に取り付けられたコネクタを、該コネクタに設けられた連結部と係り合うことにより支持するコネクタ支持部と、により構成される台付コネクタ支持部を備え、
前記コネクタの前記連結部は、
当該コネクタの外表面から突起し、平行に直線状に延びて形成された一対の平行凸部と、
前記一対の平行凸部の間において前記コネクタの外表面に対して間隔を空けて形成された梁部と、
前記梁部から前記コネクタの外表面に向かって突起して形成された対向凸部と、を備え、
前記台付コネクタ支持部の前記コネクタ支持部は、
前記台座部の頭頂部の外縁から内側へ直線状に延びる平行な一対の溝を形成し、該一対の溝に前記コネクタの前記一対の平行凸部が嵌め入れられる部分である一対の平行凹部と、
前記一対の平行凹部の間の部分のうち、前記台座部の頭頂部の外縁に沿って前記一対の平行凹部の一方から他方に亘って形成された開口部を除く残りの部分であり、前記コネクタの外表面と前記連結部の前記梁部との間の隙間に挿入されたときに前記対向凸部が入り込む孔が形成された中間板部と、を備えることを特徴とするコネクタ支持具。
【請求項２】
前記コネクタ支持部の前記中間板部の両側における前記一対の平行凹部各々との境界部分が内側へ切れ込んで形成されている、請求項１に記載のコネクタ支持具。
【請求項３】
前記コネクタ支持部における前記中間板部よりも内側において前記一対の平行凹部が形成する一対の溝を繋ぐ溝を形成する部分である内側凹部がさらに形成されている、請求項１又は請求項２に記載のコネクタ支持具。
【請求項４】
平板状の樹脂部材の真空成形により凹凸が成形された部材からなる、請求項１から請求項３のいずれかに記載のコネクタ支持具。
【請求項５】
電線と、
配線空間を形成する凹凸をなす板状に成形された部材からなり、前記配線空間に配置された前記電線の一部が固定された電線固定部及び支持体に固定される支持体固定部を有する基体、及び凹凸をなす板状に成形された部材からなり、前記基体に対し前記配線空間を隔てて組み合わされる板状の被覆体を有する配線具と、を備えたワイヤハーネスであって、
前記配線具の前記基体は、
周囲の部分から隆起して形成された台座部と、
前記台座部の頭頂部に形成され、前記配線空間に配置された前記電線又は他の電線の端部に取り付けられたコネクタを、該コネクタに設けられた連結部と係り合うことにより支持するコネクタ支持部と、により構成される台付コネクタ支持部を備え、
前記コネクタの前記連結部は、
当該コネクタの外表面から突起し、平行に直線状に延びて形成された一対の平行凸部と、
前記一対の平行凸部の間において前記コネクタの外表面に対して間隔を空けて形成された梁部と、
前記梁部から前記コネクタの外表面に向かって突起して形成された対向凸部と、を備え、
前記台付コネクタ支持部の前記コネクタ支持部は、
前記台座部の頭頂部の外縁から内側へ直線状に延びる平行な一対の溝を形成し、該一対の溝に前記コネクタの前記一対の平行凸部が嵌め入れられる部分である一対の平行凹部と、
前記一対の平行凹部の間の部分のうち、前記台座部の頭頂部の外縁に沿って前記一対の平行凹部の一方から他方に亘って形成された開口部を除く残りの部分であり、前記コネクタの外表面と前記連結部の前記梁部との間の隙間に挿入されたときに前記対向凸部が入り込む孔が形成された中間板部と、を備えることを特徴とするワイヤハーネス。
【発明の詳細な説明】
【技術分野】
【０００１】
本発明は、電線の端部に取り付けられたコネクタを支持するコネクタ支持部を有するコネクタ支持具及びそのコネクタ支持部を有する配線具を備えたワイヤハーネスに関する。
【背景技術】
【０００２】
自動車などの車両に搭載されるワイヤハーネスは、電線に取り付けられた樹脂製の配線具を備え、電線がその配線具によって予め定められた経路に沿って保持された状態で敷設されることが多い。例えば、従来の一般的なワイヤハーネスにおいて、電線は、粘着テープ又はベルト部材などの結束材によって板状又は棒状の樹脂部材に固定される。これにより、電線は、予め定められた形状で保持される。
【０００３】
ワイヤハーネスの形状において特に重要なことは、各電線が、接続相手に近い予め定められた基準位置から予め定められた長さで存在することである。ここで、接続相手は、電装機器又は他の電線の端部に設けられたコネクタなどである。
【０００４】
例えば、自動車の座席の下側に配置されるワイヤハーネスにおいては、各電線の端部のコネクタが、座席駆動用のモータなどの機器又は他の電線のコネクタに対して過不足なく届くように、各電線における端部のコネクタまたはコネクタに近い部分が、予め定められた位置（基準位置）に固定されることが重要である。
【０００５】
なお、ワイヤハーネスにおいて、基準位置に至るまでの途中の電線の経路は、比較的許容範囲の広い既定の領域内に収まっていればよい場合が多い。
【０００６】
例えば、特許文献１に示されるワイヤハーネスは、電線束を挟み込む状態で熱プレスによって固着された２つの板状の樹脂部材からなる配線具を備える。一方の樹脂部材は、平板状の底板部と底板部から起立するリブとからなる基体である。他方の樹脂部材は、基体のリブが挿入される貫通孔が形成され、基体に重ねられた状態で基体の底板部に固着される板状の被覆体である。
【０００７】
特許文献１に示されるワイヤハーネスにおいて、電線は、一の平面に沿って形成された基体と被覆体との間に挟み込まれる。また、特許文献１に示される配線具において、基体のリブは、配線経路の両側に形成され、配線のガイド部として機能する。配線具は、例えば、自動車の座席下のパネル又はフレームなどの支持体に固定される。
【０００８】
また、特許文献２には、コネクタとコネクタを自動車のパネルなどの支持体に固定するための留め具とが連結された留め具付コネクタが示されている。特許文献２に示される留め具付コネクタは、コネクタとそのコネクタの一部に形成された連結部に連結された留め具とにより構成されている。その留め具は、コネクタの連結部と係り合ってコネクタと連結される部分と、支持体の孔の縁部と係りあって支持体に固定される部分とが一体になった樹脂の部材である。
【０００９】
特許文献２に示される留め具コネクタは、自動車のパネルなどの支持体における予め定められた位置に容易に固定することが可能な構造を備えている。
【先行技術文献】
【特許文献】
【００１０】
【特許文献１】特開２０１０−２７２４２号公報
【特許文献２】特開平８−１９５２５３号公報
【発明の概要】
【発明が解決しようとする課題】
【００１１】
ところで、自動車の座席下などのワイヤハーネスの敷設場所には、座席を移動可能に支持する機構又はモータなどのワイヤハーネス以外の機器が存在する。そのような機器は、支持体に固定された配線具への配線経路における障害物となり得る。また、ワイヤハーネスにおいて、配線経路は、電線の端部に取り付けられたコネクタの固定位置によって規制される。
【００１２】
以上のことから、ワイヤハーネスにおいて、電線と他の機器との接触を避けるために、電線のコネクタを、簡易な作業により、電線を保持する配線具などの部材が固定される支持体から離れた位置に固定したい場合がある。
【００１３】
しかしながら、特許文献１の配線具が採用された場合、コネクタの固定位置は、配線具を構成する平坦な基体の縁部に限られる。即ち、従来のワイヤハーネスは、電線のコネクタを、電線を保持する配線具などの部材が固定される支持体に対して離れた位置に固定することができないという問題点を有している。その結果、コネクタの固定位置の設計の自由度、即ち、配線設計の自由度が低くなる。
【００１４】
本発明は、ワイヤハーネスにおいて、電線の端部に取り付けられたコネクタを、簡易な作業により、電線を保持する配線具などの部材が固定される支持体から離れた位置に固定でき、ひいては配線設計の自由度を高めることを目的とする。
【課題を解決するための手段】
【００１５】
本発明の第１の態様に係るコネクタ支持具は、凹凸をなす板状に成形された部材からなり、支持体に固定される支持体固定部を有する。さらに、第１の態様に係るコネクタ支持具は、周囲の部分から隆起して形成された台座部と、前記台座部の頭頂部に形成され電線の端部に取り付けられたコネクタを、該コネクタに設けられた連結部と係り合うことにより支持するコネクタ支持部と、により構成される台付コネクタ支持部を備える。
【００１６】
また、本発明の第１の態様に係るコネクタ支持具が支持するコネクタの前記連結部は、以下に示される構成要素を備える。前記コネクタの第１の構成要素は、当該コネクタの外表面から突起し、平行に直線状に延びて形成された一対の平行凸部である。前記コネクタの第２の構成要素は、前記一対の平行凸部の間において前記コネクタの外表面に対して間隔を空けて形成された梁部である。前記コネクタの第３の構成要素は、前記梁部から前記コネクタの外表面に向かって突起して形成された対向凸部である。さらに、第１の態様に係るコネクタ支持具において、前記台付コネクタ支持部の前記コネクタ支持部は、以下に示される各構成要素を備える。前記コネクタ支持部の第１の構成要素は、前記台座部の頭頂部の外縁から内側へ直線状に延びる平行な一対の溝を形成し、該一対の溝に前記コネクタの前記一対の平行凸部が嵌め入れられる部分である一対の平行凹部である。前記コネクタ支持部の第２の構成要素は、前記一対の平行凹部の間の部分のうち、前記台座部の頭頂部の外縁に沿って前記一対の平行凹部の一方から他方に亘って形成された開口部を除く残りの部分であり、前記コネクタの外表面と前記連結部の前記梁部との間の隙間に挿入されたときに前記対向凸部が入り込む孔が形成された中間板部である。
【００１７】
本発明の第２の態様に係るコネクタ支持具は、第１の態様に係るコネクタ支持具の一態様である。第２の態様に係るコネクタ支持具において、前記コネクタ支持部の前記中間板部の両側における前記一対の平行凹部各々との境界部分が内側へ切れ込んで形成されている。
【００１８】
本発明の第３の態様に係るコネクタ支持具は、第１の態様又は第２の態様に係るコネクタ支持具の一態様である。第３の態様に係るコネクタ支持具において、前記コネクタ支持部における前記中間板部よりも内側において前記一対の平行凹部が形成する一対の溝を繋ぐ溝を形成する部分である内側凹部がさらに形成されている。
【００１９】
本発明の第４の態様に係るコネクタ支持具は、第１の態様から第３の態様のいずれかに係るコネクタ支持具の一態様である。第４の態様に係るコネクタ支持具は、平板状の樹脂部材の真空成形により凹凸が成形された部材からなる。
【００２０】
また、本発明は、本発明に係るコネクタ支持具の台付コネクタ支持部を有する配線具と、その配線具が取り付けられた電線とを備えるワイヤハーネスの発明として捉えられてもよい。本発明に係るワイヤハーネスにおいて、前記配線具は、基体及び被覆体を有する。前記基体は、配線空間を形成する凹凸をなす板状に成形された部材からなり、前記配線空間に配置された前記電線の一部が固定された電線固定部及び支持体に固定される支持体固定部を有する部材である。前記被覆体は、凹凸をなす板状に成形された部材からなり、前記基体に対し前記配線空間を隔てて組み合わされる板状の部材である。さらに、前記配線具の前記基体は、本発明に係るコネクタ支持具が備える前記台付コネクタ支持部と同じ構造の台付コネクタ支持部を備える。さらに、前記配線具が支持するコネクタの前記連結部は、以下に示される構成要素を備える。前記コネクタの第１の構成要素は、当該コネクタの外表面から突起し、平行に直線状に延びて形成された一対の平行凸部である。前記コネクタの第２の構成要素は、前記一対の平行凸部の間において前記コネクタの外表面に対して間隔を空けて形成された梁部である。前記コネクタの第３の構成要素は、前記梁部から前記コネクタの外表面に向かって突起して形成された対向凸部である。さらに、第１の態様に係るコネクタ支持具において、前記台付コネクタ支持部の前記コネクタ支持部は、以下に示される各構成要素を備える。前記コネクタ支持部の第１の構成要素は、前記台座部の頭頂部の外縁から内側へ直線状に延びる平行な一対の溝を形成し、該一対の溝に前記コネクタの前記一対の平行凸部が嵌め入れられる部分である一対の平行凹部である。前記コネクタ支持部の第２の構成要素は、前記一対の平行凹部の間の部分のうち、前記台座部の頭頂部の外縁に沿って前記一対の平行凹部の一方から他方に亘って形成された開口部を除く残りの部分であり、前記コネクタの外表面と前記連結部の前記梁部との間の隙間に挿入されたときに前記対向凸部が入り込む孔が形成された中間板部である。
【発明の効果】
【００２１】
本発明の第１の態様から第４の態様のいずれかに係るコネクタ支持具及び本発明に係るワイヤハーネスにおいて、台付コネクタ支持部は、周囲の部分から隆起して形成された台座部の頂上部に形成されたコネクタ支持部を備える。さらに、そのコネクタ支持部は、コネクタに設けられた連結部と係り合うことによりコネクタを支持する。
【００２２】
従って、本発明によれば、電線の端部に取り付けられたコネクタを、簡易な作業により、当該コネクタ支持具が固定される支持体から、少なくとも台座部の高さ分だけ離れた位置に固定することが可能となる。即ち、台座部の高さの調整によって支持体とコネクタとの位置関係の調整が可能となる。その結果、ワイヤハーネスの電線と他の機器との接触を避けるための配線経路の設計の自由度が高まる。
【００２３】
さらに、本発明によれば、コネクタ支持具は、凹凸をなす板状に成形された部材によって構成される。そのような部材は、平板状の樹脂部材に対する真空成形、或いはスライド機構のない簡易な金型を用いた射出成形などによって得られ部材であり、製造に要する工数及びコストが小さい。
【００２４】
さらに、本発明によれば、電線の端部のコネクタは、連結部の一対の平行凸部がコネクタ支持具における一対の平行凹部の溝に嵌り込み、コネクタ支持具の中間板部が連結部の梁部とコネクタ外表面との隙間に嵌り込み、さらに、連結部の対向凸部が中間板部の孔に嵌り込むことにより、コネクタ支持具に固定される。
【００２５】
なお、本発明に係るコネクタ支持具によって支持されるコネクタは、一対の平行凸部と梁部と対向凸部とを有する連結部を備える従来周知のコネクタである。そのようなコネクタは、特許文献２に示されている。
【００２６】
また、第２の態様に係るコネクタ支持具において、コネクタ支持部の中間板部の両側における一対の平行凹部各々との境界部分が、内側へ切れ込んで形成されている。これにより、中間板部が、コネクタの連結部における梁部に対してより安定した状態で引っ掛かり、コネクタがコネクタ支持具から外れにくくなる。
【００２７】
また、第３の態様に係るコネクタ支持具には、一対の溝を繋ぐ溝を形成する部分である内側凹部が形成されている。これにより、凹凸をなす板状の部材であるコネクタ支持具の剛性が高まり好適である。
【００２８】
また、一般に、平板状の部材の真空成形により得られる部材は、樹脂の射出成形により得られる部材よりも簡易に、かつ、低コストで製造できる。従って、本発明に係るコネクタ支持具が、平板状の部材の真空成形により得られた部材であれば、製造工数及び製造コストがより低減される。なお、特許文献１に示される平板状のリブを有する基体は、平板状の部材の真空成形によって得ることはできない。
【図面の簡単な説明】
【００２９】
【図１】本発明の第１実施形態に係るコネクタ支持具１０の斜視図である。
【図２】コネクタ支持具１０の３面図である。
【図３】コネクタ支持具１０を構成する基体の平面図である。
【図４】コネクタ支持具１０を構成する被覆体の平面図である。
【図５】本発明の実施形態に係るワイヤハーネス１００の平面図である。
【図６】被覆体が取り除かれた状態のワイヤハーネス１００の平面図である。
【図７】コネクタ支持具１０の一部の断面図である。
【図８】ワイヤハーネス１００の一部の断面図である。
【図９】コネクタ支持具１０の電線結束部に電線及び結束ベルトが固定される様子を示す斜視図である。
【図１０】電線が固定された電線結束部の正面図である。
【図１１】コネクタ支持具１０が備えるコネクタ支持部の斜視図である。
【図１２】電線の端部におけるコネクタの部分の斜視図である。
【図１３】コネクタが固定されたコネクタ支持部の正断面図である。
【図１４】コネクタ支持具１０が備える台付コネクタ支持部１５Ａの斜視図である。
【図１５】本発明の第２実施形態に係るコネクタ支持具１０Ａの斜視図である。
【図１６】支持体に取り付けられるときのコネクタ支持具１０Ａの正面図である。
【図１７】応用例に係る台付コネクタ支持部１５Ｂの斜視図である。
【図１８】台付コネクタ支持部１５Ｂに固定される留め具付コネクタの斜視図である。
【発明を実施するための形態】
【００３０】
以下、添付の図面を参照しながら、本発明の実施形態について説明する。以下の実施形態は、本発明を具体化した一例であり、本発明の技術的範囲を限定する事例ではない。
【００３１】
＜概略構成＞
まず、図１から図７を参照しつつ、本発明の第１実施形態に係るコネクタ支持具１０及び本発明の実施形態に係るワイヤハーネス１００の概略の構成について説明する。なお、図２（ａ）はコネクタ支持具１０の平面図、図２（ｂ）はコネクタ支持具１０の側面図、図２（ｃ）はコネクタ支持具１０の正面図である。
【００３２】
ワイヤハーネス１００は、複数の電線９からなる電線群とその電線群に取り付けられたコネクタ支持具１０とを備える。ワイヤハーネス１００は、例えば、車両における座席の下方のスペース、天井裏のスペース又はトランクルームなどに取り付けられ、周囲に存在する他の電線又は電装機器と接続される。そのため、ワイヤハーネス１００が備える電線９は、絶縁電線と、その絶縁電線の端部に取り付けられたコネクタ９１とを備えるコネクタ付電線である。
【００３３】
コネクタ支持具１０は、電線９を予め定められた形状で保持する配線具でもある。即ち、ワイヤハーネス１００において、複数の電線９は、予め定められた形状に保持された状態で、コネクタ支持具１０によって一体化されている。そのため、ワイヤハーネス１００は、留め具などの固定具を用いて簡易に所定の位置に取り付け可能である。
【００３４】
図１に示されるように、配線具を兼ねるコネクタ支持具１０は、基体１と、それに重ねられる被覆体２とにより構成されている。被覆体２は、基体１との間に複数の電線９の中間部分を挟み込んで基体１に対して組み合わされる。図３は基体１の平面図、図４は被覆体２の平面図である。
【００３５】
基体１及び被覆体２は、それらの間に電線９を挟み込む状態で固着され、これにより、コネクタ支持具１０は、基体１と被覆体２との間に挟み込まれた電線９を予め定められた形状で保持する。
【００３６】
本実施形態においては、基体１及び被覆体２は個別の部材であるが、基体１及び被覆体２が、弾性的に曲げ変形可能な接続部を介して連なって構成されることも考えられる。
【００３７】
本実施形態において、コネクタ支持具１０の基体１及び被覆体２は、板状の樹脂部材が真空成形されることにより得られる部材である。コネクタ支持具１０は、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）などの樹脂の部材である。
【００３８】
また、基体１及び被覆体２が真空成形により得られる場合、基体１及び被覆体２を構成する樹脂材料としては、用途に応じて、難燃性に優れたポリ塩化ビニル（ＰＶＣ）、伸縮性に優れたポリプロピレン（ＰＰ）、又は剛性に優れたポリエチレンテレフタラート（ＰＥＴ）のいずれかが好ましい。これらの樹脂材料はいずれも安価で容易に入手可能な材料である。
【００３９】
＜基体＞
コネクタ支持具１０を構成する基体１は、凹凸をなす板状に成形された樹脂部材からなる。前述したように、本実施形態における基体１は、平板状の樹脂部材の真空成形により得られる。図３に示されるように、基体１は、電線保護部１０１と付加電線支持部１０２とを有している。
【００４０】
電線保護部１０１は、当該コネクタ支持具１０とともにワイヤハーネスを構成する電線を予め定められた形状に保持するとともの保護する部分である。被覆体２は、基体１における電線保護部１０１を覆う。一方、付加電線支持部１０２は、当該コネクタ支持具１０とともにワイヤはネスを構成する電線とは異なる他の電線を支持する部分である。以下、付加電線支持部１０２に支持される電線のことを付加電線と称する。
【００４１】
例えば、電線保護部１０１は、自動車に搭載される標準仕様の機器に接続される電線を保護し、付加電線支持部１０２は、自動車のオプション機器に接続される付加電線の一部を支持する。付加電線は、コネクタ支持具１０を備えるワイヤハーネスが、座席下のフレームなどの支持体に取り付けられた後に付加電線支持部１０２に取り付けられる場合が多い。そのため、付加電線支持部１０２は、被覆体２によって覆われず露出している。
【００４２】
また、電線保護部１０１は、配線部１１と第一段差部１２と第一枠部１３とを有している。図３に示される基体１において、破線で囲まれた領域は、配線部１１の領域である。第一段差部１２は、配線部１１の外縁と第一枠部１３の内縁とに連なって形成されている。配線部１１は、基体１における電線保護部１０１の底面を形成する底板部であるともいえる。
【００４３】
基体１を構成する配線部１１は、電線９が配置される配線空間９０に面する板状の部分である。配線部１１には、配線空間９０を区分する仕切は形成されていない。但し、配線部１１における比較的広く形成された部分には、配線空間９０に面する側において窪みを形成する複数の補強用凹部１１１が形成されている。これら補強用凹部１１１は、配線部１１の剛性を高めるために形成されている。
【００４４】
配線部１１に形成された補強用凹部１１１は、配線部１１の底面を形成する平板状の底板部の一部が成形された部分である。補強用凹部１１１は、配線空間９０に面する側に対し反対側から見れば、隆起した中空の部分である。図３に示される例では、補強用凹部１１１の形状は、正六角錐がその底面に平行な面で切断されたときに底面から切断面に至る部分が形成する形状である。なお、補強用凹部１１１の形状は、例えば円柱状などの他の形状であってもよい。
【００４５】
なお、補強用凹部１１１の代わりに、第一段差部１２の高さ以下の高さで隆起した補強用の凸部が、配線部１１に形成されていてもよい。この場合、補強用の凸部は、配線空間９０に面する側に対し反対側から見れば凹部である。
【００４６】
また、配線部１１は、基準配線部１１Ｘと基準配線部１１Ｘに連なって形成された傾斜配線部１１Ｙとを有している。これらの詳細については後述する。
【００４７】
基体１を構成する第一段差部１２の少なくとも一部は、配線部１１の外縁に沿って形成されるとともに配線部１１から配線空間９０の側へ起立して段差を形成する部分である。換言すれば、配線部１１の外縁は、第一段差部１２の内縁に沿って形成されている。
【００４８】
また、図３及び図６に示されるように、コネクタ支持具１０において、第一段差部１２の一部は、配線空間９０の部分空間である保護空間９０Ａの四方を囲んで形成されている。保護空間９０Ａは、電線９にける芯線が露出した部分もしくは電線９に接続された機器など、電線の他の部分よりも特別な保護を要する被保護部４１が配置される空間である。
【００４９】
以下の説明において、第一段差部１２のうち、保護空間９０Ａを囲んで形成された部分のことを隔壁部１２Ａと称する。また、配線部１１のうち、保護空間９０Ａに面する部分、即ち、隔壁部１２Ａによって区分された部分のことを保護室底板部１１Ａと称する。
【００５０】
本実施形態においては、隔壁部１２Ａは、配線部１１の一部をさらに一段掘り下げて保護空間９０Ａを形成する段差部である。即ち、隔壁部１２Ａは、保護室底板部１１Ａからその周囲の配線部１１へ起立して形成された段差部である。
【００５１】
また、図６に示される例では、被保護部４１は、電線９に接続される電子基板である。被保護部４１は、複数の電線９の芯線が溶接によって接合された部分であるスプライス部であることも考えられる。
【００５２】
第一段差部１２は、必ずしも全体が一定の高さで形成されているわけではなく、一部に他の部分よりも高く形成された部分を含み得る。
【００５３】
基体１を構成する第一枠部１３は、第一段差部１２の外縁に沿って形成された部分であり、基体１の外縁部分をなす。第一枠部１３は、平板状に形成されることの他、平坦な部分と凹部もしくは凸部とが混在する形状で形成されることも考えられる。本実施形態では、第一枠部１３は、平坦な部分と凹部及び凸部とが混在する形状で形成されている。
【００５４】
また、図３に示されるように、配線部１１には、電線結束部１４及びコネクタ支持部１５が形成されている。さらに、配線部１１及び付加電線支持部１０２には、周囲の部分から隆起した台座部１０３と、その台座部１０３の頭頂部に形成されたコネクタ支持部１５とからなる台付コネクタ支持部１５Ａが形成されている。コネクタ支持部１５及び台付コネクタ支持部１５Ａの詳細については後述する。
【００５５】
また、基体１における第一枠部１３には、仮留め用凹部１６及びクランプ孔１８１が形成されている。電線結束部１４及びコネクタ支持部１５は、配線部１１に配置される電線９の一部が固定される部分である。
【００５６】
クランプ孔１８１は、コネクタ支持具１０が自動車のパネルなどの支持体に取り付けられる際に留め具の一部が通される貫通孔である。留め具の一部が、基体１のクランプ孔１８１と支持体に形成された取付孔とに通されることにより、コネクタ支持具１０は、支持体に固定される。
【００５７】
即ち、基体１におけるクランプ孔１８１が形成された部分は、支持体に固定される部分である。以下、基体１におけるクランプ孔１８１が形成された部分のことを支持体固定部１８と称する。
【００５８】
なお、電線結束部１４及びコネクタ支持部１５は、電線固定部の一例である。電線結束部１４及びコネクタ支持部１５の詳細な説明、及び基体１に形成された仮留め用凹部１６についての説明は後に示す。以下の説明において、電線結束部１４及びコネクタ支持部１５の両方をまとめて電線固定部１４，１５と総称する。
【００５９】
＜被覆体＞
コネクタ支持具１０を構成する被覆体２は、凹凸をなす板状に成形された樹脂部材からなる。前述したように、本実施形態における被覆体２は、基体１と同様に、平板状の樹脂部材の真空成形により得られる。図１、図２及び図４に示されるように、被覆体２は、対向壁部２１と第二段差部２２と第二枠部２３とを有している。さらに、被覆体２は、第二枠部２３の一部に形成された複数の仮留め用凸部２６も有している。第二段差部２２は、対向壁部２１の外縁と第二枠部２３の内縁とに連なって形成されている。
【００６０】
以下の説明において、被覆体２の構成要素の位置又は形状が、基体１と関連付けて説明される場合、被覆体２が基体１に対して重ねられて組み合わされた状態を前提としている。
【００６１】
図５に示されるように、被覆体２を構成する対向壁部２１は、基体１の配線部１１に対して配線空間９０を隔てて対向する部分である。対向壁部２１には、配線空間９０を区分する仕切は形成されていない。図４において、被覆体２が覆う配線空間９０の範囲が破線で描かれている。
【００６２】
なお、被覆体２の対向壁部２１は、基体１の配線部１１（底板部）に対し配線空間９０を隔てて対向配置される天板部であるといえる。但し、コネクタ支持具１０は、必ずしも基体１を下側にして支持体に取り付けられるわけではなく、支持体に対して様々な向きで取り付けられ得る。即ち、底板部との用語は、電線固定部１４，１５を有する側であることを意味するに過ぎず、上下の方向を特定する用語ではない。同様に、天板部との用語は、配線空間９０を基準にして底板部側（基体１側）の反対側であることを意味するに過ぎず、上下の方向を特定する用語ではない。
【００６３】
本実施形態における対向壁部２１には、基体１における配線部１１の補強用凹部１１１と同様の補強用凹部２１１が形成されている。補強用凹部２１１は、配線空間９０側（基体１側）から見て凹部であり、配線空間９０側に対し反対側においては中空の凸部である。
【００６４】
被覆体２を構成する第二段差部２２の一部は、対向壁部２１の外縁に沿って形成されるとともに対向壁部２１から基体１側へ起立して段差を形成している。換言すれば、対向壁部２１の外縁の一部は、第二段差部２２の一部の内縁に沿って形成されている。
【００６５】
また、第二段差部２２は、対向壁部２１の中間部分にも形成されている。これにより、基体１の配線部１１と被覆体２の対向壁部２１の間に形成される配線空間９０は、領域によって異なる高さで形成される。
【００６６】
第二段差部２２は、必ずしも全体が一定の高さで形成されているわけではなく、一部に他の部分よりも高く形成された部分を含み得る。また、第二枠部２３は、平板状に形成されることの他、平坦な部分と凹部もしくは凸部とが混在する形状で形成されることも考えられる。図１、図２及び図４に示される例では、第二枠部２３の一部に、基体１側へ突出する凸部が形成されている。なお、被覆体２に形成された仮留め用凸部２６についての説明は後に示す。
【００６７】
また、被覆体２の対向壁部２１は、基準対向壁部２１Ｘと基準対向壁部２１Ｘに連なって形成された傾斜対向壁部２１Ｙとを有している。これらの詳細については後述する。
【００６８】
また、被覆体２の第二段差部２２の一部は、対向壁部２１における基体１の保護室底板部１１Ａに対向する部分を取り囲んで形成されている。以下、対向壁部２１のうち、基体１の保護室底板部１１Ａに対向する部分のことを保護室天井部２１Ａと称する。また、被覆体２の第二段差部２２のうち、保護室天井部２１Ａの外縁に沿って形成された部分のことを天井支持部２２Ａと称する。
【００６９】
また、被覆体２における保護室天井部２１Ａ及び天井支持部２２Ａの部分は、基体１側へ凸状に形成された蓋部２４を構成している。この蓋部２４は、基体１における隔壁部１２Ａの内側に嵌り込んで隔壁部１２Ａが形成する開口を塞ぐ。天井支持部２２Ａは、隔壁部１２Ａの内側面に沿う段差を形成している。これにより、隔壁部１２Ａが形成する開口は、蓋部２４によって高い密閉性で塞がれる。
【００７０】
また、樹脂又はゴムなどのコーティング剤が、被保護部４１が配置された隔壁部１２Ａの内側の保護空間９０Ａに充填されることも考えられる。これにより、被保護部４１の防塵及び防水の効果がより高まる。
【００７１】
＜傾斜配線部及び傾斜対向壁部＞
前述したように、配線部１１は、基準配線部１１Ｘと基準配線部１１Ｘに連なって形成された傾斜配線部１１Ｙとを有している。同様に、対向壁部２１は、基準対向壁部２１Ｘと基準対向壁部２１Ｘに連なって形成された傾斜対向壁部２１Ｙとを有している。
【００７２】
図７は、図２（ａ）に示されるＤ−Ｄ平面におけるコネクタ支持具１０の断面図である。基準配線部１１Ｘは、配線部１１のうち、第１の平面Ｆ１に平行な面に沿って形成された部分である。一方、傾斜配線部１１Ｙは、配線部１１のうち、第１の平面Ｆ１に対し傾斜する第２の平面Ｆ２に沿って形成された部分である。
【００７３】
また、基準対向壁部２１Ｘは、対向壁部２１のうち、第３の平面Ｆ３に平行な面に沿って形成され、基準配線部１１Ｘに対し配線空間９０を隔てて対向配置される部分である。一方、傾斜対向壁部２１Ｙは、対向壁部２１のうち、第３の平面Ｆ３に対し傾斜する第４の平面Ｆ４に沿って形成され、傾斜対向壁部２１Ｙに対し配線空間９０を隔てて対向配置される部分である。
【００７４】
なお、第３の平面Ｆ３は、通常、第１の平面Ｆ１に対して概ね平行な平面である。また、第４の平面Ｆ４は、通常、第２の平面Ｆ２に対して概ね平行な平面である。また、第４の平面Ｆ４が、第２の平面Ｆ２に対して平行でない場合であっても、少なくとも第２の平面Ｆ２が第１の平面Ｆ１に対して配線空間９０側へ傾斜している場合は、第４の平面Ｆ４は、第３の平面Ｆ３に対して配線空間９０側の反対側へ傾斜している。同様に、第２の平面Ｆ２が第１の平面Ｆ１に対して配線空間９０側の反対側へ傾斜している場合は、第４の平面Ｆ４は、第３の平面Ｆ３に対して配線空間９０側へ傾斜している。
【００７５】
なお、基準配線部１１Ｘ、傾斜配線部１１Ｙ、基準対向壁部２１Ｘ及び傾斜対向壁部２１Ｙは、それぞれ基準底板部、傾斜底板部、基準天板部及び傾斜天板部の一例である。
【００７６】
また、図１、図２（ｃ）及び図３に示されるように、傾斜配線部１２の一部には、その周囲の部分から隆起し、配線空間９０の外縁の仕切りをなす第一外縁隆起部１９が形成されている。
【００７７】
一方、傾斜対向壁部２１Ｙにおける第一外縁隆起部１９に対向する位置には、第二外縁隆起部２９が形成されている。この第二外縁隆起部２９は、傾斜対向壁部２１Ｙの周囲の部分から第一外縁隆起部１９へ向かって隆起し、第一外縁隆起部１９とともに配線空間９０の外縁の仕切りをなす部分である。
【００７８】
また、図７に示されるように、第一外縁隆起部１９は、第１の平面Ｆ１に垂直な方向Ｅから見て隠れる部分のない側面１９１を形成して隆起している。同様に、第二外縁隆起部２９は、第３の平面Ｆ３に垂直な方向Ｆから見て隠れる部分のない側面２９１を形成して隆起している。
【００７９】
なお、基体１における第一段差部１２は、全て第１の平面Ｆ１に垂直な方向Ｅから見て隠れる部分のない段差面を形成している。同様に、被覆体２における第二段差部２２は、全て第３の平面Ｆ３に垂直な方向Ｆから見て隠れる部分のない段差面を形成している。
【００８０】
また、図３に示されるように、基体１において、第一段差部１２の一部である第一連係段差部１２１は、基準配線部１１Ｘから傾斜配線部１１Ｙに亘って一連に形成されている。また、図４に示されるように、被覆体２において、第二段差部２２の一部である第二連係段差部２２１は、基準対向壁部２１Ｘから傾斜対向壁部２１Ｙに亘って一連に形成されている。
【００８１】
＜仮留め機構＞
基体１における第一枠部１３の一部には、複数の仮留め用凹部１６が形成されている。仮留め用凹部１６は、被覆体２側に開口する窪みを形成する部分である。仮留め用凹部１６は、第一枠部１３における電線結束部１４の近傍に形成されることが望ましい。
【００８２】
一方、被覆体２における第二枠部２３には、基体１の仮留め用凹部１６各々に嵌り込む複数の仮留め用凸部２６が形成されている。複数の仮留め用凸部２６各々は、複数の仮留め用凹部１６各々に対向する位置に形成されている。仮留め用凸部２６は、基体１側から見れば凸部であるが、基体１側に対し反対側から見れば凹部である。
【００８３】
コネクタ支持具１０において、基体１の一部に形成された仮留め用凹部１６及び被覆体２の一部に形成された仮留め用凸部２６は、被覆体２を基体１に対して留める仮留め機構を構成している。
【００８４】
仮留め用凸部２６の側面の外形は、わずかに圧縮した状態で仮留め用凹部１６の内壁面に内接する形状で形成されている。これにより、仮留め用凸部２６が、仮留め用凹部１６へ押し入れられると、仮留め用凸部２６の側面と仮留め用凹部１６の内壁面との摩擦抵抗により、被覆体２は、基体１の配線部１１を覆う状態で基体１に対して留められる。
【００８５】
以上に示したように、仮留め用凹部１６及び仮留め用凸部２６は、凸部と凹部との嵌め合い構造により、被覆体２を基体１に対して配線部１１を覆う状態で留める仮留め機構を構成している。
【００８６】
なお、図１に示される例では、仮留め用凹部１６が基体１側に設けられ、仮留め用凸部２６が被覆体２側に設けられているが、その逆の構成も考えられる。即ち、仮留め用凹部１６が被覆体２側に設けられ、仮留め用凸部２６が基体１側に設けられてもよい。また、基体１及び被覆体２の各々において、仮留め用凹部１６と仮留め用凸部２６とが混在してもよい。
【００８７】
＜ワイヤハーネス＞
図５及び図６に示されるように、ワイヤハーネス１００において、複数の電線９の中間部分は、基体１の配線部１１に配置されている。また、一部の電線９における端部のコネクタ９１は、基体１のコネクタ支持部１５に固定されている。
【００８８】
また、他の一部の電線９における端部のコネクタ９１は、基体１の外側に配置され、そのコネクタ９１に繋がる電線９の中間部分は、基体１における配線部１１からその外側へ亘って配置されている。また、その電線９は、電線結束部１４に対して結束ベルト８により固定されている。
【００８９】
そして、図５に示されるように、基体１及び被覆体２は、配線部１１に配置された複数の電線９の中間部分を配線部１１と対向壁部２１との間の配線空間９０に挟んで組み合わされた状態で固着されている。本実施の形態では、仮留め用凹部１６及び仮留め用凸部２６における相互に接触する部分が、超音波溶接などのスポット加熱の装置により溶着され、被覆体２が基体１に対して固着されている。これにより、被覆体２は、基体１との間に複数の電線９の中間部分を挟んで基体１に対して組み合わされた状態で保持されている。
【００９０】
例えば、仮留め用凸部２６が仮留め用凹部１６に嵌め入れられたときに、仮留め用凹部１６の底面と仮留め用凸部２６の頭頂面とが接触することが考えられる。この場合、仮留め用凹部１６の底面と仮留め用凸部２６の頭頂面とが接触する部分に溶着部が形成される。
【００９１】
＜電線結束部＞
次に、図９及び図１０を参照しつつ、電線結束部１４について説明する。図９は、コネクタ支持具１０電線結束部１４に電線９及び結束ベルト８が固定される様子を示す斜視図である。また、図１０は、電線９が固定された電線結束部１４の正面図である。なお、図９及び図１０において、電線９の端部は省略されて電線９の断面が示されている。
【００９２】
図９に示されるように、本実施形態における電線結束部１４は、配線部１１における、電線通過部１４１と第一ベルト通過部１４２０と第二ベルト通過部１４３０とにより構成されている。電線通過部１４１は、第一枠部１３における電線９が通る部分である。配線部１１において、第一ベルト通過部１４２０は、電線通過部１４１に隣接し、第二ベルト通過部１４３０は、電線通過部１４１に対し第一ベルト通過部１４２０の側の反対側に隣接している。
【００９３】
第一ベルト通過部１４２０は、結束ベルト８のベルト部８１が貫通可能な貫通孔１４２が形成された部分である。この貫通孔１４２は、電線９と電線通過部１４１とを結束する結束ベルト８のベルト部８１が通される孔である。従って、貫通孔１４２は、結束ベルト８のベルト部８１が貫通可能な大きさで形成されている。なお、結束ベルト８は、結束材の一例であり、ベルト部８１は、結束ベルト８における結束対象への巻き付け部である。
【００９４】
また、第二ベルト通過部１４３０は、結束ベルト８のベルト部８１の厚みよりも大きな幅で、配線部１１における外縁から内側へ切れ込んで形成された切れ込み部１４３が形成された部分である。切れ込み部１４３は、配線部１１における電線通過部１４１に対して貫通孔１４２が位置する側の反対側に隣接する部分に形成されている。
【００９５】
貫通孔１４２及び切れ込み部１４３は、例えば、真空成形される前の平板状の樹脂部材に対するトムソン加工などによって形成される。
【００９６】
図９に示される例では、切れ込み部１４３は、配線部１１における外縁から内側へ切れ込んで形成されたスリット状の外側孔部１４３１と、外側孔部１４３１と連通し外側孔部１４３１の幅よりも広い幅の孔である内側孔部１４３２とにより構成されている。
【００９７】
内側孔部１４３２は、貫通孔１４２に対して電線通過部１４１を挟んで対向する位置に形成され、外側孔部１４３１から電線通過部１４１側へ幅が拡がって形成されている。そのため、外側孔部１４３１における電線通過部１４１側の縁と内側孔部１４３２における電線通過部１４１側の縁との境界部分には、段差１４３３が形成されている。即ち、内側孔部１４３２は、外側孔部１４３１から電線通過部１４１側へ段差１４３３を経て幅が拡がって形成されている。
【００９８】
結束ベルト８は、まず、切れ込み部１４３における外側孔部１４３１から内側孔部１４３２へ通される。その後、結束ベルト８は、先端が貫通孔１４２に通されるとともに、電線通過部１４１と電線通過部１４１に配置された電線９とに巻き付けられる。
【００９９】
以上のようにして取り付けられた結束ベルト８は、図１０に示されるように、電線９と電線通過部１４１とを結束した状態で保持され、電線９は、電線結束部１４の電線通過部１４１に固定される。
【０１００】
図９に示される電線結束部１４において、貫通孔１４２の縁部及び切れ込み部１４３の段差１４３３の部分は、振動などによって電線９に対する結束ベルト８の位置が移動し、結束ベルト８が配線部１１から外れることを防止する。そのため、電線９は、電線結束部１４において安定的に強固に固定される。また、結束ベルト８の先端を貫通孔に挿入する作業の回数が１回で済み、２つの貫通孔に結束ベルト８を通す場合に比べ、結束作業の工数が軽減される。
【０１０１】
また、電線通過部１４１における貫通孔１４２と切れ込み部１４３との間の部分には、電線９が通過する側（配線空間９０側）の反対側の面において隆起した隆起部１４４が形成されている。図１０に示されるように、隆起部１４４は、電線９とともに結束ベルト８により結束される。
【０１０２】
なお、コネクタ支持具１０に適用可能な電線結束部１４の他の例としては、以下のような例も考えられる。他の例に係る電線結束部は、配線部１１における電線通過部１４１と、第一枠部１３における電線通過部１４１の両側に隣接する２つの貫通孔が形成された部分とを有する。この場合、２つの貫通孔は、電線９と電線通過部１４１とを結束する結束ベルト８が通される孔である。
【０１０３】
＜コネクタ支持部＞
次に、図１１から図１３を参照しつつ、コネクタ支持部１５について説明する。図１１は、コネクタ支持具１０におけるコネクタ支持部１５の斜視図である。図１２は、電線９の端部におけるコネクタ９１の部分の斜視図である。図１３は、コネクタ９１が固定されたコネクタ支持部１５の正断面図である。
【０１０４】
ここで、コネクタ支持部１５について説明する前に、コネクタ支持部１５に固定されるコネクタ９１の構造について説明する。
【０１０５】
図１２に示されるように、電線９の端部のコネクタ９１には、留め具などの他の部材と連結される連結部９２が形成されている。連結部９２は、連結される相手側部材の一部が嵌り込む隙間を形成する平行な一対のガイドレール部９２１と、一対のガイドレール部９２１に架け渡された架設部９２２とを有する。
【０１０６】
また、架設部９２２におけるコネクタ９１の本体の底面に対向する面には、コネクタ９１の本体側に向かって突出する突起部９２３が形成されている。なお、突起部９２３は、対向凸部の一例である。
【０１０７】
一対のガイドレール部９２１は、コネクタ９１の外表面から突起し、平行に直線状に延びて形成された一対の平行な凸部を形成している。また、架設部９２２は、一対のガイドレール部９２１の間においてコネクタ９１の外表面に対して間隔を空けて形成された梁部を形成している。また、突起部９２３は、架設部９２２からコネクタ９１の外表面に向かって突起して形成された凸部を形成している。なお、ガイドレール部９２１は、平行凸部の一例である。また、架設部９２２は、梁部の一例である。
【０１０８】
図１２に示されるコネクタ９１は、自動車に搭載されるワイヤハーネスにおいて広く用いられている。一般的には、連結部９２に対する相手側部材は、連結部９２における一対のガイドレール部９２１が形成する隙間に嵌り込む嵌入片を有する。また、その嵌入片には、その嵌入片が一対のガイドレール部９２１の隙間に嵌め入れられたときに、連結部９２の突起部９２３が嵌り込む孔が形成されている。嵌入片が一対のガイドレール部９２１の隙間に嵌め入れられることにより、連結部９２と相手側部材とは、連結した状態で保持される。
【０１０９】
一方、図１１に示されるように、本実施形態におけるコネクタ支持部１５には、一対の平行凹部１５１と、それら一対の平行凹部１５１の間の部分である中間板部１５２とが形成されている。
【０１１０】
コネクタ支持部１５において、一対の平行凹部１５１は、基体１における第一枠部１３の外縁から内側へ直線状に延びる平行な一対の溝を形成する部分である。より具体的には、第一枠部１３の外縁から内側へ直線状に延びて形成された底板部１５１１と、その底板部１５１１の両側方において底板部１５１１に連なって形成された２つの側壁部１５１２とにより構成されている。側壁部１５１２は、底板部１５１１の両側方において底板部１５１１から起立する段差を形成している。一対の平行凹部１５１が形成する一対の溝には、コネクタ９１の連結部９２における一対のガイドレール部９２１が嵌め入れられる。
【０１１１】
また、コネクタ支持部１５において、中間板部１５２は、一対の平行凹部１５１の間の板状の部分であり、コネクタ９１の本端部分の外表面と連結部９２の架設部９２２との間の隙間に挿入される部分である。本実施形態においては、中間板部１５２は、平板状である。
【０１１２】
また、中間板部１５２には、中間板部１５２がコネクタ９１の本体部分の外表面と連結部９２の架設部９２２との間の隙間に挿入されたときに、架設部９２２に形成された突起部９２３が嵌り込む孔１５３が形成されている。
【０１１３】
図１３に示されるように、コネクタ９１がコネクタ支持部１５に固定された状態において、コネクタ９１の連結部９２における一対のガイドレール部９２１は、コネクタ支持部１５における一対の平行凹部１５１に嵌め入れられている。さらに、コネクタ支持部１５の中間板部１５２は、コネクタ９１の本体部分の外表面と連結部９２の架設部９２２との間の隙間に挿入されており、連結部９２の架設部９２２に形成された突起部９２３が、中間板部１５２に形成された孔１５３に嵌り込んでいる。
【０１１４】
コネクタ支持部１５において、一対の平行凹部１５１は、一対の平行凹部１５１の溝の長手方向に対して直交する方向におけるコネクタ９１の動きを制限する。また、中間板部１５２は、コネクタ９１の本体部分の外表面と連結部９２の架設部９２２との間の隙間に挿入されることにより、一対の平行凹部１５１の溝の深さ方向におけるコネクタ９１の動きを制限する。さらに、中間板部１５２における孔１５３の縁部は、一対の平行凹部１５１の溝の長手方向におけるコネクタ９１の動きを制限する。
【０１１５】
また、本実施形態においては、中間板部１５２の両側における一対の平行凹部１５１各々との境界部分に、内側へ切れ込んだ切れ込み部１５４が形成されている。これにより、中間板部１５２における第一枠部１３の外縁側の端部は、片持ち梁状に張り出した庇部１５２１を形成している。
【０１１６】
図１２に示されるコネクタ９１の連結部９２においては、一対のガイドレール部９２１各々と架設部９２２との間に、一対の平行凹部１５１の側壁部１５１２の一部が入り込む隙間９２４が形成されている。この場合、コネクタ支持部１５において、切れ込み部１５４が形成されていることは必須ではない。
【０１１７】
本実施形態においては、中間板部１５２が、コネクタ９１の本体部分の外表面と連結部９２の架設部９２２との間の隙間により深く挿入されるように、中間板部１５２の両側に切れ込み部１５４が形成されている。これにより、中間板部１５２が、架設部９２２に対してより安定した状態で引っ掛かり、コネクタ９１がコネクタ支持部１５から外れにくくなる。
【０１１８】
しかしながら、コネクタ９１の連結部９２に隙間９２４が形成されていない場合、コネクタ支持部１５において、切れ込み部１５４が形成されていることが必要である。これにより、中間板部１５２をコネクタ９１の本体部分の外表面と連結部９２の架設部９２２との間の隙間に挿入することが可能となる。
【０１１９】
また、図１２に示されるコネクタ９１の連結部９２においては、中間板部１５２よりも内側において一対の平行凹部１５１が形成する一対の溝を繋ぐ溝を形成する部分である内側凹部１５５がさらに形成されている。この内側凹部１５５は、凹凸をなす板状の部分であるコネクタ支持部１５の剛性を高める効果、特に、コネクタ支持部１５をねじるように作用する外力に対する剛性を高める効果を発揮する。
【０１２０】
以上に示したように、コネクタ９１は、コネクタ支持部１５によって支持され、第一枠部１３の一部に固定される。即ち、コネクタ支持部１５は、電線９の端部に取り付けられたコネクタ９１の外表面に形成された連結部９２と係り合ってコネクタ９１を支持する。
【０１２１】
＜台付コネクタ支持部＞
次に、図１４を参照しつつ、台付コネクタ支持部１５Ａについて説明する。図１４は、コネクタ支持具１０における台付コネクタ支持部１５Ａの斜視図である。
【０１２２】
台付コネクタ支持部１５Ａは、周囲の母材１１２から隆起した台座部１０３と、その台座部１０３の頭頂部に形成されたコネクタ支持部１５とにより構成されている。コネクタ支持部１５の構造は、前述した通りである。
【０１２３】
図１４に示されるように、台付コネクタ支持部１５Ａにおいて、一対の平行凹部１５１は、台座部１０３の頭頂部の外縁から内側へ直線状に延びる平行な一対の溝を形成している。前述した通り、一対の平行凹部１５１は、それが形成する一対の溝にコネクタ９１の一対のガイドレール部９２１が嵌め入れられる部分である。
【０１２４】
また、台付コネクタ支持部１５Ａにおいて、一対の平行凹部１５１の間の部分には、開口部１５６が、台座部１０３の頭頂部の外縁に沿って一対の平行凹部１５１の一方から他方に亘って形成されている。台付コネクタ支持部１５Ａにおいて、中間板部１５２は、一対の平行凹部１５１の間の部分のうち開口部１５６を除く残りの部分である。中間板部１５２には、コネクタ９１の外表面と連結部９２の架設部９２２との間の隙間９２４に挿入されたときにコネクタ９１の連結部９２の突起部９２３が入り込む孔１５３が形成されている。
【０１２５】
配線部１１に形成された台付コネクタ支持部１５Ａにおいて、母材１１２は、配線部１１における台付コネクタ支持部１５Ａの周囲の部分である。一方、付加電線支持部１０２に形成された台付コネクタ支持部１５Ａにおいて、母材１１２は、付加電線支持部１０２における台付コネクタ支持部１５Ａの周囲の部分である。
【０１２６】
本実施形態においては、配線部１１に形成された台付コネクタ支持部１５Ａは、基体１の配線部１１と被覆体２の対向壁部２１との間に保持される電線９の端部のコネクタ９１を支持する。一方、付加電線支持部１０２に形成された台付コネクタ支持部１５Ａは、その付加電線（他のオプション機器に接続される電線）の端部のコネクタ９１を支持する。
【０１２７】
台座部１０３は、コネクタ９１が取り付けられる側から見れば中空の凸部である。一方、台座部１０３は、コネクタ９１が取り付けられる側の反対側から見れば凹部である。台付コネクタ支持部１５Ａは、真空成形工程と、孔１５３、切れ込み部１５４及び庇部１５２１を形成するための切断工程とにより作製される。
【０１２８】
＜効果＞
コネクタ支持具１０において、台付コネクタ支持部１５Ａは、周囲の部分から隆起して形成された台座部１０３の頂上部に形成されたコネクタ支持部１５を備える。さらに、そのコネクタ支持部１５は、コネクタ９１に設けられた連結部９２と係り合うことによりコネクタ９１を支持する。
【０１２９】
台付コネクタ支持部１５Ａが採用されることにより、コネクタ９１の固定部を母材１１２に対して任意の高さの位置に配置することができる。そのため、電線９が、他の機器７１との接触を避けるために母材から離れた経路に沿って敷設される場合であっても、電線９の経路に応じた位置にコネクタ９１の固定部を配置することができる。即ち、支持体に沿って配置されるコネクタ支持具１０の母材部分の位置と、コネクタ９１の固定部の位置とを個別に設定することができる。
【０１３０】
以上に示したように、コネクタ支持具１０が採用されることにより、電線９の端部に取り付けられたコネクタ９１を、簡易な作業により、コネクタ支持具１０が固定される支持体から、少なくとも台座部１０３の高さ分だけ離れた位置に固定することが可能となる。また、台座部１０３の高さの調整によって支持体とコネクタ９１との位置関係の調整が可能となる。従って、ワイヤハーネス１００の電線９と他の機器との接触を避けるための配線経路の設計の自由度が高まる。
【０１３１】
さらに、コネクタ支持具１０は、凹凸をなす板状に成形された部材によって構成される。そのような部材は、平板状の樹脂部材に対する真空成形、或いはスライド機構のない簡易な金型を用いた射出成形などによって得られ部材であり、製造に要する工数及びコストが小さい。
【０１３２】
また、一般に、平板状の部材の真空成形により得られる部材は、樹脂の射出成形により得られる部材よりも簡易に、かつ、低コストで製造できる。コネクタ支持具１０は、平板状の部材の真空成形により得られた部材であるため、製造工数及び製造コストがより低減される。
【０１３３】
また、台付コネクタ支持部１５Ａのコネクタ支持部１５において、電線９の端部のコネクタ９１は、連結部９２の一対のガイドレール部９２１が一対の平行凹部１５１の溝に嵌り込み、中間板部１５２が連結部９２の架設部９２２とコネクタ９１の外表面との隙間に嵌り込み、さらに、連結部９２の突起部９２３が中間板部１５２の孔１５３に嵌り込むことにより、コネクタ支持部１５に固定される。
【０１３４】
また、コネクタ支持部１５は、一部に溝が形成されて凹凸をなす板状に成形された部材によって構成される。そのような部材は、平板状の樹脂部材に対する真空成形、或いはスライド機構のない簡易な金型を用いた射出成形などによって得られ部材であり、製造に要する工数及びコストが小さい。
【０１３５】
また、コネクタ支持部１５において、中間板部１５２の両側における一対の平行凹部各々との境界部分が内側へ切れ込んで形成されている。これにより、中間板部１５２が、コネクタ９１の連結部９２における架設部９２２に対してより安定した状態で引っ掛かり、コネクタ９１がコネクタ支持部１５から外れにくくなる。
【０１３６】
また、コネクタ支持部１５において、一対の溝を繋ぐ溝を形成する部分である内側凹部１５５が形成されている。これにより、凹凸をなす板状の部材であるコネクタ支持具１０におけるコネクタ支持部１５の剛性が高まる。
【０１３７】
また、コネクタ支持具１０が取り付けられた電線９において、端部のコネクタ９１は、コネクタ支持部１５に支持されることにより一定の位置に保持される。即ち、電線９の端部のコネクタ９１が接続相手に対して過不足なく届くように、電線９の形状がコネクタ支持具１０によって保持される。
【０１３８】
また、電線９に取り付けられたコネクタ支持具１０が、留め具などによって支持体に取り付けられるだけで、コネクタ９１が支持体における予め定められた位置に固定される。即ち、コネクタ支持具１０が採用されることにより、コネクタ９１を支持体における予め定められた位置に固定する作業が簡素化される。特に、コネクタ支持具１０は、複数のコネクタ支持部１５を備えるため、その効果は特に顕著である。
【０１３９】
＜第２実施形態＞
次に、図１５及び図１６を参照しつつ、本発明の第２実施形態に係るコネクタ支持具１０Ａについて説明する。図１５は、コネクタ支持具１０Ａの斜視図である。図１６は、自動車におけるボディの一部を構成するパネル又はインスツルメントパネルなどの板状の支持体７に取り付けられるときのコネクタ支持具１０Ａの正面図である。
【０１４０】
コネクタ支持具１０Ａは、コネクタ支持具１０と同様に、凹凸をなす板状の樹脂部材である。コネクタ支持具１０Ａには、コネクタ支持具１０と同様に、台座部１０３とその頂上部に形成されたコネクタ支持部１５とを備える台付コネクタ支持部１５Ｂが設けられている。但し、コネクタ支持具１０Ａの台付コネクタ支持部１５Ｂは、１つの台座部１０３の頂上部に並んで形成された複数のコネクタ支持部１５を備える。
【０１４１】
なお、コネクタ支持具１０Ａに形成されている複数のコネクタ支持部１５各々の構造は、図１４に示される台付コネクタ支持部１５Ａにおけるコネクタ支持部１５の構造と同じである。
【０１４２】
なお、図１５に示されるコネクタ支持具１０Ａは、５つのコネクタ支持部１５を備えるが、コネクタ支持具１０Ａが、２つ乃至４つのコネクタ支持部１５を備えること、又は、６つ以上のコネクタ支持部１５を備えることも考えられる。
【０１４３】
また、コネクタ支持具１０Ａにも、コネクタ支持具１０と同様に、クランプ孔１８１が形成された支持体固定部１８が設けられている。図１６に示されるように、コネクタ支持具１０Ａは、複数のコネクタ支持部１５において複数のコネクタ９１を支持する。また、コネクタ支持具１０Ａが複数のコネクタ９１を支持する状態で、留め具５が、コネクタ支持具１０Ａのクランプ孔１８１と支持体７に形成された取付孔７３とに通されることにより、コネクタ支持具１０Ａは、支持体７に固定される。
【０１４４】
図１６に示されるように、複数のコネクタ９１を支持する１つのコネクタ支持具１０Ａが支持体７に取り付けられれば、複数のコネクタ９１が一括して支持体７の所定位置に固定される。従って、コネクタ支持具１０Ａが採用されることにより、電線９に設けられたコネクタ９１を所定の位置に固定する作業の工数を大幅に軽減することができる。
【０１４５】
＜応用例に係る台付コネクタ支持部＞
次に、図１７及び図１８を参照しつつ、コネクタ支持具１０，１０Ａに適用可能な応用例に係る台付コネクタ支持部１５Ｂについて説明する。図１７は、台付コネクタ支持部１５Ｂの斜視図である。また、図１８は、台付コネクタ支持部１５Ｂによって支持される留め具付コネクタ９１Ａの斜視図である。
【０１４６】
ここで、台付コネクタ支持部１５Ｂの説明に先立ち、台付コネクタ支持部１５Ｂによって支持される留め具付コネクタ９１Ａについて説明する。図１８に示されるように、留め具付コネクタ９１Ａは、電線９の端部に取り付けられたコネクタ本体部９１１と従来周知の留め具９２Ａとが連結された構造を有する。
【０１４７】
留め具９２Ａは、その一部が板状の支持体の貫通孔（取付孔）に挿入されることにより、支持体における貫通孔の縁部を把持し、これにより支持体に固定される部材である。即ち、留め具９２Ａは、支持体の貫通孔の縁部と係り合うことにより支持体に固定される部材であり、留め具付コネクタ９１Ａの連結部の一例である。
【０１４８】
一方、図１７に示されるように、台付コネクタ支持部１５Ｂは、凹凸をなす板状に成形された部材で構成されている。また、台付コネクタ支持部１５Ｂは、周囲の母材１１２から隆起して形成された台座部１０３と、台座部１０３の頭頂部に形成されたコネクタ支持部１５７とにより構成されている。コネクタ支持部１５７は、電線９の端部に取り付けられた留め具付コネクタ９１Ａを、留め具付コネクタ９１Ａに設けられた留め具９２Ａ（連結部）と係り合うことにより支持する。
【０１４９】
より具体的には、コネクタ支持部１５７は、台座部１０３における平坦な板状の頭頂部における貫通孔１５７１が形成された部分である。留め具付コネクタ９１Ａの留め具９２Ａの一部がコネクタ支持部１５７の貫通孔１５７１に挿入されることにより、留め具９２Ａは、コネクタ支持部１５７の貫通孔１５７１の縁部と係り合うことによりコネクタ支持部１５７に固定される。
【０１５０】
図１８に示されるような留め具付コネクタ９１Ａが、電線９の端部に取り付けられている場合、台付コネクタ１５Ｂが、コネクタ支持具１０，１０Ａに対して台付コネクタ支持部１５Ａ，１５Ｂの代わりに設けられる。その場合においても、コネクタ支持具１０，１０Ａが採用される場合と同様に、配線経路を規制する電線のコネクタを固定する位置の自由度が高まり、配線設計が容易となる。
【０１５１】
＜その他＞
前述したコネクタ支持具１０，１０Ａは、留め具５により支持体７に取り付けられる支持体固定部１８を備えている。しかしながら、コネクタ支持具１０，１０Ａが、支持体７又は配線具などの他の部材との間で嵌め合わせにより連結される連結構造を有することも考えられる。
【０１５２】
ワイヤハーネス１００において、電線９は、コネクタ支持具１０を構成する基体１及び被覆体２の間に挟み込まれる。さらに、板状の基体１において配線部１１に配置された電線９は、配線部１１における予め定められた位置に設けられた電線結束部１４又はコネクタ支持部１５で固定される。
【０１５３】
従って、コネクタ支持具１０が取り付けられた電線９において、電線結束部１４又はコネクタ支持部１５で固定された部分は一定の位置に保持され、さらに、電線結束部１４で固定された部分から外側に位置する部分の長さは一定の長さで保持される。即ち、電線９の端部が接続相手に対して過不足なく届くように、電線９の形状がコネクタ支持具１０によって保持される。また、電線９は、基体１及び被覆体２によって保護される。
【０１５４】
一方、コネクタ支持具１０が取り付けられた電線９において、配線部１１に配置された部分、即ち、基体１の第一枠部１３に至るまでの途中の中間部分は、基体１の内側の領域を占める配線部１１と被覆体２の内側の領域を占める対向壁部２１との間の仕切の無い配線空間９０内に収容される。
【０１５５】
従って、電線９を基体１の配線部１１に配線する作業において、配線部１１内の任意の経路での配線が許容され、電線９が配線部１１から浮き上がっていても、被覆体２を基体１に重ねて押し付けるだけで、電線９は配線部１１と対向壁部２１との間の配線空間９０に収容される。即ち、配線部１１から浮き上がる電線９を配線部１１に対して押さえ込みつつ電線９を配線するという煩雑な作業は不要である。
【０１５６】
図８は、ワイヤハーネス１００の一部の断面図である。図８に示される断面図は、図７の断面図に示されるコネクタ支持具１０の一部と同じ部分の断面図である。但し、図８は、コネクタ支持具１０が、基体１側が支持体７の下面に対向する状態で支持体７に固定された状態のワイヤハーネス１００の一部の断面図である。
【０１５７】
図７及び図８に示されるように、基体１及び被覆体２は、基準配線部１１Ｘ及び基準対向壁部２１Ｘと、それらに対して傾斜して形成された傾斜配線部１１Ｙ及び傾斜対向壁部２１Ｙとを備える。これにより、コネクタ支持具１０は、全体として３次元的に曲がった形状で形成されている。そのため、コネクタ支持具１０を備えたワイヤハーネス１００は、車両内における３次元的に曲がった異形の空間に配置される場合に好適である。
【０１５８】
例えば、図８に示されるように、コネクタ支持具１０が敷設される場所に、各種の構造物又はモータなどの他の機器７１が存在する場合であっても、コネクタ支持具１０を他の機器７１と接触することなく敷設することが可能となる。
【０１５９】
さらに、図７及び図８に示されるように、コネクタ支持具１０において、基体１の傾斜配線部１１Ｙと被覆体２の傾斜対向壁部２１Ｙとの間の配線空間９０は、第一外縁隆起部１９及びこれに対向する第二外縁隆起部２９によって、配線空間９０の外側に対して仕切られている。これら第一外縁隆起部１９及び第二外縁隆起部２９により、電線９が基体１の傾斜配線部１１Ｙ及び被覆体２の傾斜対向壁部２１Ｙから滑って外へはみ出すことが阻止される。
【０１６０】
また、第一外縁隆起部１９及び第二外縁隆起部２９は、配線空間９０の外縁の仕切りをなす部分である。このような第一外縁隆起部１９及び第二外縁隆起部２９は、特許文献１の配線具におけるリブとは異なり、配線空間９０に配置される電線９と重なりにくく、基体１に対する被覆体２の適切な取り付けを阻害する原因になりにくい。
【０１６１】
また、コネクタ支持具１０において、基体１の第一段差部１２は、凹凸をなす板状の基体１の剛性を高める補強部として機能する。同様に、被覆体２の第二段差部２２も、凹凸をなす板状の被覆体２の剛性を高める補強部として機能する。
【０１６２】
特に、基準配線部１１Ｘから傾斜配線部１１Ｙに亘って形成された第一連係段差部１２１（補強用段差部）により、基準配線部１１Ｘに対する傾斜配線部１１Ｙの傾斜角度を保持するための剛性が高まる。そのため、基体１及び被覆体２は、省スペース化及び軽量化のために厚みが比較的小さく形成されても高い剛性を確保することができる。従って、コネクタ支持具１０は、省スペース化及び軽量化のために比較的厚みの小さな板材が採用された場合でも、形状を一定に維持する性能（剛性）が高い。
【０１６３】
なお、被覆体２において、基準対向壁部２１Ｘから傾斜対向壁部２１Ｙに亘って形成されて形成された第二連係段差部２２１も、第一連係段差部１２１と同様の役割を果たす。
【０１６４】
また、第一段差部１２、第一外縁隆起部１９、第二段差部２２及び第二外縁隆起部２９は、それぞれ基準配線部１１Ｘ及び基準対向壁部２１Ｘが沿う平面に垂直な方向Ｅ，Ｆから見て隠れる部分のない側面を形成して隆起した部分である。そのため、基体１及び被覆体２は、スライド式の金型を用いた複雑な成形工程を経ることなく、１次元方向においてのみ移動する金型を用いた単純な成形工程、例えば、１回の真空成形工程により製造することが可能である。
【０１６５】
以上に示したことから、本発明によれば、ワイヤハーネス１００のコネクタ支持具１０を３次元的に曲がった異形の空間に配置することができ、さらに、コネクタ支持具１０を電線９に取り付けるための工数を簡素化できる。さらに、コネクタ支持具１０の製造工数も簡素化される。
【０１６６】
コネクタ支持具１０において、電線結束部１４の貫通孔１４２に通された結束ベルト８は、基体１の第一枠部１３から外れないため、結束ベルト８が基体１の第一枠部１３から外れて電線９の結束が緩むことが防止される。また、電線９における結束ベルト８で固定された部分から末端側の部分の長さが、予め定められた長さで保持される。
【０１６７】
また、電線結束部１４に隆起部１４４が存在することにより、結束ベルト８が、貫通孔１４２の縁部及び切れ込み部１４３の縁部において急峻に折れ曲がりにくい。即ち、結束ベルト８は、より円形に近い形で電線通過部１４１と電線９とを結束できる。その結果、電線９を結束ベルト８によってより強固に固定するこが可能となる。
【０１６８】
また、コネクタ支持具１０において、コネクタ支持部１５は、電線９の端部のコネクタ９１における連結部９２と係り合ってコネクタ９１を支持する。これにより、電線９の端部のコネクタ９１は、ごく簡易な作業により基体１における予め定められた位置に固定される。
【０１６９】
また、コネクタ支持部１５において、電線９の端部のコネクタ９１は、連結部９２の一対のガイドレール部９２１が一対の平行凹部１５１の溝に嵌り込み、中間板部１５２が連結部９２の架設部９２２とコネクタ９１の外表面との隙間に嵌り込み、さらに、連結部９２の突起部９２３が中間板部１５２の孔１５３に嵌り込むことにより、コネクタ支持部１５に固定される。
【０１７０】
また、コネクタ支持部１５における一対の平行凹部１５１及び中間板部１５２の部分がわずかに撓むことにより、コネクタ９１は、コネクタ支持部１５に対して密接した状態で、即ち、ガタのない状態で固定される。そのため、コネクタ支持部１５及びこれに支持されたコネクタ９１は、振動を受けても異音を発生しない。
【０１７１】
また、基体１及び被覆体２が、樹脂の射出成形により得られる部材であることも考えられる。但し、コネクタ支持具１０は、上下方向（一次元方向）においてのみ凹凸をなす板状に成形された部材であり、板状の樹脂部材に対する真空成形によって容易に得られる部材である。従って、製造工数及び製造コストの面において、コネクタ支持具１０は、平板状の部材の真空成形により得られる部材であることが望ましい。
【符号の説明】
【０１７２】
１  基体
２  被覆体
５  留め具
７  支持体
８  結束ベルト
９  電線
１０，１０Ａ  コネクタ支持具
１１  配線部
１１Ｘ  基準配線部
１１Ｙ  傾斜配線部
１１Ａ  保護室底板部
１２  第一段差部
１２Ａ  隔壁部
１３  第一枠部
１４  電線結束部（電線固定部）
１５，１５７  コネクタ支持部（電線固定部）
１５Ａ，１５Ｂ  台付コネクタ支持部
１６  仮留め用凹部
１８  支持体固定部
１９  第一外縁隆起部
２１  対向壁部
２１Ｘ  基準対向壁部
２１Ｙ  傾斜対向壁部
２１Ａ  保護室天井部
２２  第二段差部
２２Ａ  天井支持部
２３  第二枠部
２４  蓋部
２６  仮留め用凸部
２９  第二外縁隆起部
４１  被保護部
７１  他の機器
７３  取付孔
８１  ベルト部
９０  配線空間
９０Ａ  保護空間
９１  コネクタ
９１Ａ  留め具付コネクタ
９２  コネクタの連結部
９２Ａ  留め具
１００  ワイヤハーネス
１０１  電線保護部
１０２  付加電線支持部
１０３  台座部
１１１  補強用凹部
１１２  母材
１２１  第一連係段差部
１４１  電線通過部
１４２  電線結束部の貫通孔
１４３  電線結束部の切れ込み部
１４４  電線結束部の隆起部
１５１  コネクタ支持部の平行凹部
１５２  コネクタ支持部の中間板部
１５３  中間板部の孔
１５４  コネクタ支持部の切れ込み部
１５５  コネクタ支持部の内側凹部
１５６  コネクタ支持部の開口部
１８１  クランプ孔
１９１  第一外縁隆起部の側面
２１１  補強用凹部
２２１  第二連係段差部
２９１  第二外縁隆起部の側面
９１１  コネクタ本体部
９２１  ガイドレール部（平行凸部）
９２２  架設部（梁部）
９２３  突起部（対向凸部）
９２４  隙間
１４２０  第一ベルト通過部
１４３０  第二ベルト通過部
１４３１  外側孔部
１４３２  内側孔部
１４３３  段差
１５１１  底板部
１５１２  側壁部
１５２１  庇部
１５７１  貫通孔
【図１】
0005765218.tif 000002
【図２】
0005765218.tif 000003
【図３】
0005765218.tif 000004
【図４】
0005765218.tif 000005
【図５】
0005765218.tif 000006
【図６】
0005765218.tif 000007
【図７】
0005765218.tif 000008
【図８】
0005765218.tif 000009
【図９】
0005765218.tif 000010
【図１０】
0005765218.tif 000011
【図１１】
0005765218.tif 000012
【図１２】
0005765218.tif 000013
【図１３】
0005765218.tif 000014
【図１４】
0005765218.tif 000015
【図１５】
0005765218.tif 000016
【図１６】
0005765218.tif 000017
【図１７】
0005765218.tif 000018
【図１８】
0005765218.tif 000019